(57)【特許請求の範囲】
【請求項１】
記事内容を表す可視情報及びこの可視情報の内容を表す複数の見出しを記憶する情報記憶手段と、
表示画面が上面で水平に置かれ、前記可視情報を見るユーザが座る側辺を有し、前記情報記憶手段により記憶された前記見出し及び前記可視情報を前記表示画面に表示する筐体と、
前記表示画面にタッチされたことを検知することが可能なタッチ検知表示手段と、
前記タッチ検知表示手段により前記表示画面に表示される見出しがタッチされたとき、その位置を検知しその位置から対応する見出しを検知する見出し選択検知手段と、
この見出し選択検知手段により検知された前記見出しを前記情報記憶手段から検索し、対応する前記可視情報を表示させる検索表示手段と、
前記タッチ検知表示手段により前記表示画面にタッチされたことが検知され、所定方向にドラッグし離されたとき、その方向の側辺にいるユーザに向けて、前記見出し及び前記可視情報の表示の向きを変える表示方向制御手段と、
を有することを特徴とする水平ディスプレイ情報表示装置。
【請求項２】
ユーザが座る前記筐体の側辺が、予め定められていることを特徴とする請求項１記載の水平ディスプレイ情報表示装置。
【請求項３】
前記筐体の側辺に対応して各々設けられた検知器を備え、前記筐体のユーザが座った側辺を検知するユーザ位置検知手段を、更に有する請求項１又は２記載の水平ディスプレイ情報表示装置。
【請求項４】
前記検索表示手段は、前記選択検知手段により検知された前記見出しに対応する前記可視情報を当該見出しの近傍に表示することを特徴とする請求項１乃至３のいずれかに記載の水平ディスプレイ情報表示装置。
【請求項５】
前記可視情報がタッチされたとき、更にその記事内容に対応する記事が、前記見出しの表示されている画面とは異なる画面において、時系列的に表示されることを特徴とする請求項１乃至４のいずれかに記載の水平ディスプレイ情報表示装置。
【請求項６】
前記見出しは文章、動画、静止画、写真のいずれかの形式であることを特徴とする請求項１乃至５のいずれかに記載の水平ディスプレイ情報表示装置。
【請求項７】
前記見出しは、文章と、動画、静止画、写真いずれかの組み合わせであることを特徴とする請求項１乃至６のいずれかに記載の水平ディスプレイ情報表示装置。
【請求項８】
記事内容を表す可視情報及びこの可視情報の内容を短文で表す複数の見出しを記憶する情報記憶部と、
表示画面が上面で水平に置かれ、上記情報記憶部により記憶された前記見出し及び前記可視情報を表示すること及び前記表示画面にタッチされたことを検知することが可能なタッチパネルディスプレイを備え、前記可視情報を見るユーザが座る側辺を有する筐体と、
前記タッチパネルディスプレイの前記表示画面に表示される見出しがタッチされたとき、そのタッチされた位置から対応する見出しを検知する見出し選択検知部と、
この見出し選択検知部により検知された見出しを前記情報記憶部から検索し、対応する可視情報を前記表示画面に表示させる検索部と、
前記表示画面がタッチされたことが検知され、所定方向にドラッグし離されたとき、その方向にいるユーザに向けて、表示の方向を変え、前記見出し及び前記可視情報を前記見出しの記述方向と直交する方向に移動させながら表示する見出し表示方向制御部と、
を有することを特徴とする水平ディスプレイ情報表示装置。
【請求項９】
ユーザが座る前記筐体の側辺が、予め定められていることを特徴とする請求項８記載の水平ディスプレイ情報表示装置。
【請求項１０】
前記可視情報は新聞記事であることを特徴とする請求項８又は９記載の水平ディスプレイ情報表示装置。
【請求項１１】
前記タッチパネルディスプレイの前記表示画面に表示する前記見出しの大きさを変えることが可能な見出し大きさ決定部を更に有することを特徴とする請求項８乃至１０のいずれかに記載の水平ディスプレイ情報表示装置。
【請求項１２】
前記筐体は矩形形状をしており、ユーザが前記筐体の４辺のどの側辺に近い位置にいるかを検知するユーザ位置検知部を更に有し、
前記見出し表示方向制御部は、ユーザがいる位置に対して、前記見出しが読むことが可能な方向に表示すると共に、所定の方向に移動させて、前記表示画面に表示することを特徴とする請求項８乃至１１のいずれかに記載の水平ディスプレイ情報表示装置。
【請求項１３】
前記表示画面に表示される画像は、前記表示画面にタッチすることにより、移動可能であることを特徴とする請求項１２記載の水平ディスプレイ情報表示装置。
【請求項１４】
記事内容を表す可視情報及びこの可視情報の内容を表す複数の見出しを情報記憶部に記憶する情報記憶ステップと、
前記情報記憶ステップにより記憶された前記見出し及び前記可視情報を、表示画面が上面で水平に置かれ側辺を有する筐体の前記表示画面に表示する表示ステップと、
前記表示画面にタッチされたことを検知するタッチ検知ステップと、
このタッチ検知ステップにより前記表示画面にタッチされたことが検知されたとき、そのタッチされた位置を検知しその位置から対応する見出しを検知する見出し選択検知ステップと、
この見出し選択検知ステップにより検知された見出しを前記情報記憶部から検索し、対応する可視情報を前記表示画面に表示させる可視情報表示ステップと、
前記タッチ検知ステップにより前記表示画面にタッチされたことが検知され、所定方向にドラッグし離されたとき、その方向の側辺にいるユーザに向けて、前記見出し及び前記可視情報の表示の向きを変える表示方向制御ステップと、
を有することを特徴とする水平ディスプレイ情報表示装置の表示方法。
【発明の詳細な説明】
【技術分野】
【０００１】
本発明の実施形態は、水平に置かれ、新聞記事などいろいろな可視情報を表示する水平ディスプレイ情報表示装置及びその表示方法に関する。
【背景技術】
【０００２】
新聞など人間が読むことが可能な可視情報は巷に氾濫している。しかし、これらすべての情報を読むことは時間的に困難な場合が多い。そこで、それらの可視情報を効率よく読むために見出しを付し、これを選択することによりその情報を見るようにすることが知られている。しかし、この見出しも多いとすぐにその情報を読むことが難しい場合が多い。
【先行技術文献】
【特許文献】
【０００３】
【特許文献１】特開平８−２９２９５７号公報
【発明の概要】
【発明が解決しようとする課題】
【０００４】
上記の課題を解決するために、本発明は居ながらにして多くの見出しを見ることができ、しかもそのうちの興味のある見出しの情報を即座に見ることが可能な水平ディスプレイ情報表示装置及びその表示方法を提供する。
【課題を解決するための手段】
【０００５】
一実施形態は、記事内容を表す可視情報及びこの可視情報の内容を表す複数の見出しを記憶する情報記憶手段と、表示画面が上面で水平に置かれ、前記可視情報を見るユーザが座る側辺を有し、前記情報記憶手段により記憶された前記見出し及び前記可視情報を前記表示画面に表示する筐体と、前記表示画面にタッチされたことを検知することが可能なタッチ検知表示手段と、前記タッチ検知表示手段により前記表示画面に表示される見出しがタッチされたとき、その位置を検知しその位置から対応する見出しを検知する見出し選択検知手段と、この見出し選択検知手段により検知された前記見出しを前記情報記憶手段から検索し、対応する前記可視情報を表示させる検索表示手段と、前記タッチ検知表示手段により前記表示画面にタッチされたことが検知され、所定方向にドラッグし離されたとき、その方向の側辺にいるユーザに向けて、前記見出し及び前記可視情報の表示の向きを変える表示方向制御手段と、を有することを特徴とする水平ディスプレイ情報表示装置である。
【図面の簡単な説明】
【０００６】
【図１】一実施形態に係る水平ディスプレイ情報表示装置の斜視図である。
【図２】一実施形態の表示画面例を示す図である。
【図３】一実施形態の水平ディスプレイ情報表示装置の電気的構成例を示す図である。
【図４】タッチパネルディスプレイの各辺が押されることを説明するための図である。
【図５】一実施形態の動作を説明するためのフローチャートを示す図である。
【図６】一実施形態において見出しにタッチして対応する記事を表示する画面例を示す図である。
【図７】記事にタッチしてその記事に対応する経時的な一連の記事を表示する例を示す図である。
【図８】他の実施形態おける、見出しの記述方向と、見出し表示の移動方向を説明するための図である。
【図９】見出しが文章だけでなく、動画、静止画である例の表示例を示す図である。
【発明を実施するための形態】
【０００７】
以下、本発明の実施の形態について、図面を用いて説明する。この一実施形態の水平ディスプレイ情報表示装置の斜視図を図１に示す。この水平ディスプレイ情報表示装置１０は、通常は水平に置かれ、４側面の各側面上方部ほぼ中央に例えば移動体を検知する赤外線センサ１１ａ，１１ｂ，１１ｃ，１１ｄを有する直方体形状の匡体１２と、この上面に設けられ、新聞記事の見出しを表示すると共に画面にタッチしたときそのタッチされた位置（座標）を検知するタッチパネルディスプレイ（ＴＰＤ）１３と、匡体１２の下面の四隅に設けられ匡体１２及びＴＰＤ１３の移動を容易にするローラ１４を有する。
【０００８】
ＴＰＤ１３の表示画面例を、図２に示す。表示画面１６には、複数の縦書きされた見出し１７ａ，１７ｂ，１７ｃ，１７ｄ，１７ｅ，１７ｆ・・・が、通常は例えば矢印１８に示す如く左方向から右方向に流れるように移動して表示される。矢印１８は、見出し表示の移動方向であり、矢印１９は、見出しの記述方向である。このように、見出しの記述方向と見出しの表示の移動方向は直交している。
【０００９】
見出し１７ａ，１７ｂ，１７ｃ，１７ｄ，１７ｅ，１７ｆ・・・・は重要度が高いほど大きく表示され、重要度が低いと小さく表示される。例えば見出しは、大、中の２種類に分けて表示される。勿論、見出しの大きさを３種類以上にしてもよい。
【００１０】
水平ディスプレイ情報表示装置１０の電気的構成例を図３に示す。水平ディスプレイ情報表示装置１０は、新聞記事の情報を記憶する新聞記事記憶部２１と、この新聞の各記事の見出しを作成する見出し作成部２２と、その見出しの大きさを決定する見出し大きさ決定部２３と、この見出し大きさ決定部２３により決定された大きさで、縦書きの見出しを通常（初期設定時）、左方向から右方向に移動表示する上記タッチパネルディスプレイ（ＴＰＤ）１３と、上記４つの赤外線センサにより、ユーザが座っている位置を検知するユーザ位置検知部２４と、ＴＰＤ１３の表示画面の傾きを検知する傾き検知部２５と、ユーザ位置検知部２４により検知されたユーザが座っている位置及び傾き検知部２５により検知された傾きの方向に応じて表示方向を変えるように制御する表示方向制御部２６と、ＴＰＤ１３においてユーザがタッチすることにより選択された見出しを検知する見出し選択検知部２７と、この見出し選択検知部２７により選択が検知された見出しの記事を、新聞記事記憶部２１から検索する選択記事検索部２８とを有する。
【００１１】
見出し選択検知部２７には、選択された記事が後でＴＰＤ１３に表示されるとき、ユーザの指示によりその表示内容を移動、拡大、縮小するなどの画像処理を行う表示処理部２７ｐが含まれている。
【００１２】
ユーザ位置検知部２４は、図１に示した赤外線センサ１１ａ，１１ｂ，１１ｃ，１１ｄを含み、これら４つの赤外線センサにより、ユーザが４辺のどの位置に座ったかを検知する。
【００１３】
新聞記事記憶部２１には、予め新聞そのままを例えばＰＤＦ化して表示可能な電子情報と、これらの記事に見出し作成部２２において付加された見出しが記憶される。
【００１４】
選択記事検索部２８による検索により検知された見出しの記事は、新聞記事記憶部２１から、ＴＰＤ１３に送られて表示画面１６上に表示される。したがって、ＴＰＤ１３の表示画面１６上には、通常、各新聞の見出しが流れるように移動表示されているが、ユーザがそれらの見出しの１つにタッチすることにより選択すると、その選択された記事が例えばＰＤＦ表示形式でその同一画面上に表示されることになる（図５参照）。この点については、更に後述する。
【００１５】
ＴＰＤ１３以外の各電気回路は、図１に示す匡体１２に収容されている。見出し作成部２２では、新聞記事記憶部２１に記憶される、各新聞の記事の見出しをそのまま用いてもよいし、新聞記事に記載されている記事とは異なる見出しを作成してもよい。あるいは、新聞記事に記載の見出しの他に別の見出しを付加するようにしておいてもよい。このように、他の見出しも付加するようにしておくと、キーワードなどで新聞記事を見出しにより検索するとき、ヒットする確率が高くなると共に偏りのない検索が行われ有益である。
【００１６】
見出し大きさ決定部２３では、見出しの大きさを新聞に表示される大きさに応じて決定してもよい。なお、この見出し大きさ決定部２３に、キーワード記憶部２３ｍを設け、このキーワード記憶部２３ｍに、重要視するキーワードを入力して記憶させることにより、このキーワード記憶部２３ｍに記憶されているキーワードを考慮して記事の大きさを再評価するようにすることも可能である。キーワード記憶部２３ｍに例えば、環境と入力しておいた場合、環境に関する記事の大きさは、環境に無関係な記事の場合に比べて大きく表示するようにすることができる。
【００１７】
傾き検知部２５は、ＴＰＤ１３の表示画面１６の傾きを検知する回路であり、その検知された傾きは表示方向制御部２６に送られる。傾きはＴＰＤ１３の四辺のいずれかを押すことを例えば圧電素子により検知し変えてもよいし、匡体１２を持ち上げることにより変えるようにしてもよい。ＴＰＤ１３の四辺のいずれかを押す場合には押された辺が下方になり、匡体１２を持上げる場合には持上げた辺が上方になる。
【００１８】
表示面の傾きと表示内容の関係の例を図４に示す。図４において矢印は、上方から下方を示す。例えば、上方向の矢印４１は、ＴＰＤ１３の上辺を押すことを意味し、下方向の矢印４２は、ＴＰＤ１３の下辺を押すことを意味し、いずれも他の新聞を見ることになる。左方向の矢印４３は、図１にも示したように、ＴＰＤ１３の左辺を押すことを意味し、見出しの表示が右から左に流れて現在から過去の記事を遡って見ていくことになる。
【００１９】
これらの新聞記事の見出しの表示移動方向は、ユーザ位置検知部２４により検知されたユーザの位置に対する方向である。即ち、例えば赤外線センサ１１ａ，１１ｃによりユーザの座っている位置が検知されたときには、図２に示すように横長の画面になるが、赤外線センサ１１ｂ，１１ｄによりユーザが座っている位置が検知されたときには、縦長の画面になる。そして、赤外線センサ１１ａ，１１ｃでユーザが検知されたときと、赤外線センサ１１ｂ，１１ｄでユーザが検知されたときとでは、表示画面及びその見出しの表示移動方向が反対になる。
【００２０】
選択記事検索部２８により検索された新聞記事のタッチパネルディスプレイ１３における表示も同様である。即ち、検索された記事は、赤外線センサ１１ａ，１１ｃによりユーザの座っている位置が検知されたときには横長の画面に表示され、赤外線センサ１１ｂ，１１ｄによりユーザが座っている位置が検知されたときには、縦長の画面に表示される。また、赤外線センサ１１ａ，１１ｃでユーザが検知されたときと、赤外線センサ１１ｂ，１１ｄでユーザが検知されたときとでは、選択された新聞記事が互いに反対に表示される。
【００２１】
なお、この水平ディスプレイ情報表示装置１０の四辺の複数の位置にユーザが座ることもある。このような場合に、所定の辺を通常ユーザが座る位置として初期設定しておくことも可能である。
【００２２】
そして、その位置に座ったユーザが見出しあるいは記事の内容を他の３辺にいるユーザの方向にドラッグして離したとき、その辺に座っているユーザが容易に見えるようにその向きを自動的に変えるようにすることも可能である。
【００２３】
ここで、各見出しがタッチ（選択）されたときの表示について説明する。その画面の表示例を図６に示す。例えば、図２に示す画面で、見出し１７ｃがタッチされたとする。このとき、この見出し１７ｃに近い位置の最前面に、その見出しの記事５１が表示される。このように、記事５１を、同一画面でその見出し１７ｃに近い位置に表示するようにすれば、その見出しの内容を見ると共に、各見出しについてもそれなりに見ることができるという効果がある。更に、例えばその記事５１にタッチすれば、図７に示す画面となる。この画面では、その見出し１７ｃの現在の内容に対応する過去の内容７２が例えば左下から右上にかけて一部重ねて時系列的に表示される。この様な表示を行うためには、その見出しに対応する記事の内容が経時的に関連付けられて、例えば新聞記事記憶部２１に記憶されている。
【００２４】
次に、図５に示すフローチャートを用いて、この水平ディスプレイ情報表示装置１０の動作を説明する。
【００２５】
ステップＳ５０１では、新聞記事記憶部２１において新聞記事の電子データを外部の発信先から受信し、記憶する。
【００２６】
ステップＳ５０２では、見出し作成部２２において、それら受信した新聞の各記事に見出しを付ける。この見出しは、例えば各記事に含まれて付けられている見出しに、その内容に応じた見出しを付加することによりなされる。したがって各記事には複数の見出しが含まれることになる。
【００２７】
ステップ５０３では、見出し大きさ決定部２３において、決定された各記事の見出しの大きさに応じて、実際の見出しの大きさを決定する。その前に見出しは複数ついているからその中の１つが選定され、その見出しの大きさが決定される。この時、キーワード記憶部２３ｍに予め外部から入力されたキーワードを考慮して大きさが決定される。
【００２８】
ステップＳ５０４では、ユーザ位置検知部２４において、ユーザが水平ディスプレイ情報表示装置１０の周囲の４つのどの位置に座っているかが検知される。同時に、傾き検知部２５により、ＴＰＤ１３の表示画面が傾いているかどうか検知され、ステップＳ５０５で見出しの表示の移動方向が決定される。
【００２９】
傾き検知部２５により傾きが検知されなければ、ステップＳ５０６でＴＰＤ１３において、ユーザの座っている位置に対して、初期設定として、所定種類の新聞の記事に関して、図２に示すように縦書きの大きさの異なる見出しが、左方向から右方向に移動表示される。これは、各見出しの新しい記事の見出しが左から順次現れるように表示される。したがって、右部分の見出しは少し古い記事の見出しとなる。
【００３０】
傾き検知部２５により例えば左方向に表示画面が傾いていることが検知されると、各記事の見出しは左方向に移動表示される。また、上部方向又は下部方向に傾いていることが検知されると別の新聞の見出しが表示される。
【００３１】
この見出しの移動表示は、ユーザがそのいずれかの見出しにタッチするまで継続される。ステップＳ５０７で見出し選択検知部２７において、新聞記事のいずれかの見出しがタッチされたことを検知すると、ステップＳ５０８で選択記事検索部２８は、新聞記事記憶部２１にアクセスして、その見出しに対応する記事を検索する。
【００３２】
次のステップＳ５０９では、新聞記事記憶部２１内で検索された記事の部分を中心に、ＴＰＤ１３に表示する。図６に選択された記事の表示状態を示す。この表示では、記事の内容が比較的少ない時には、各見出し表示をしている画面で、タッチにより選択された見出しの横にその記事５１がテキスト形式で表示される。この記事５１が表示されている時には、各見出しの移動は停止する。その記事の表示がなされなくなった状態から再び、各見出しの移動が再開する。
【００３３】
この表示のとき、検索されて表示される記事が広い面積を占めている場合には、指などで表示画面にタッチし、移動することにより、記事５１の表示する部分を移動させることができる。また、２本の指でタッチしてこの指間を広げることに図６に示す当該見出しに対応する記事５１を拡大することができる。これらの画像表示の処理は見出し選択検知部２７内にある、表示処理部２７ｐによりなされる。
【００３４】
図６に示す記事５１は、その領域にタッチすることにより、図７に示すように過去からの連続する記事として表示することが可能である。この例では、過去からその時点までの記事内容を右上から左下に一部重なる形式で表示している。連続する記事のうち特定の記事６３にタッチすることにより、最前面に表示させることができ、内容を読むことが可能となる。このようにして、見出しからその現在の内容（図６）及びその記事に対応する過去の記事内容（図７）を容易に閲覧することが可能となる。
【００３５】
表示画面１６の例えば左隅に、「戻る」アイコン６５を表示しておく。ステップＳ５１０で「戻る」アイコン６５にユーザがタッチしたとき、例えばステップ５０６に戻って再び、新聞記事の見出しの移動表示を再開する。
【００３６】
また、新聞記事を表示してから、移動、拡大、縮小などの処理がなされないで、所定時間、例えば５分間経過した時にもステップＳ５０６に戻って、見出しの移動表示を再開する。
【００３７】
以上述べたようにして、各新聞記事の見出しを移動表示し、ユーザにより選択された記事の内容を自由に読みやすいように表示させて読むことが可能となる。
【００３８】
上記実施形態では、新聞記事を新聞記事記憶部に一旦記憶しその後、見出し作成部において記憶された記事の見出しを作成していた。しかし、新聞記事の見出しを新聞記事と共に予め取得し、これを記憶するようにしてもよい。
【００３９】
また、上記実施形態では、新聞記事を対象にしてその見出しをタッチパネルディスプレイに表示し、タッチされた見出しを検知してその選択された新聞記事を表示するようにしていた。しかし、対象となる情報は新聞記事に限られず他の情報であってもよく、一般的には人間が読むことが可能な可視情報であればよい。
【００４０】
上記実施形態では、表示装置としてタッチパネルディスプレイを用いる例について説明した。しかし、タッチパネルディスプレイでなくとも、可視情報が表示でき、ユーザが指によりあるいは道具によりタッチした時にその位置を検知できる表示装置であればよい。
【００４１】
上記実施形態では、初期設定として縦書きの見出しを左方向から右方向に移動するように表示する例について説明した。通常、新しい出来事は左から出現するように表示することが多いので、この表示が最も自然である。しかし、縦書きの見出しを右方向から左方向に移動するように表示することも可能である。このようにすれば、多くの見出しを一画面で表示できる利点がある。しかし、見出しの記述方向と見出しの表示移動方向はこれに限られない。
【００４２】
例えば、図８に示すように、表示画面１６において、初期設定として横書きの見出しを上方向から下方向に移動するように表示することも可能である。この例では、見出しの記述方向は横書きであり、矢印７１に示すように、左から右方向に記述され、その表示の移動は矢印７２に示すように、上から下方向にする。あるいは下方向から上方向に移動するように表示する。この表示方向の制御は例えば図３に示す表示方向制御部２６が行う。
【００４３】
更に、例えば縦書きの見出しを見掛け上、後方から前方に斜め方向に移動するように表示してもよい。要するに、このように見出しの記述方向と見出しの表示移動方向を互いに直交する方向に設定することにより、一画面に多くの見出しを表示することができる利点がある。
【００４４】
ところで、上記実施形態では、見出しが通常の文章（テキスト）の場合について説明した。しかし、見出しとしては、文章形式に限られず、静止画像、写真や動画であってもよいし、また見出しの文章に静止画、写真、動画が関連付けられていてもよい。図９にその表示例を示す。
【００４５】
図９において、表示画面８６に、文章形式の見出し８７ａ，８７ｂ，８７ｄのほかに、動画形式の見出し８７ｃが他の見出しと同様に矢印８８方向に移動表示されている。また静止画８７ｂ１が文章形式の見出し８７ｂに関連付けられてその近くに表示されている。
【００４６】
一般的に、見出しを文章で表すと字数に制限がありその記事内容を十分言い表すことが困難であるが、静止画や動画により表示すると、見ている人は直感的に記事内容を理解できる場合が多く、その点でユーザ本位の表示が可能となる利点がある。
【００４７】
本発明のいくつかの実施形態を説明したがこれらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４８】
１０・・・・水平ディスプレイ情報表示装置、
１１ａ，１１ｂ，１１ｃ，１１ｄ・・・・赤外線センサ、
１２・・・・匡体、
１３・・・・タッチパネルディスプレイ（ＴＰＤ）、
１４・・・ローラ、
１７ａ，１７ｂ，１７ｃ，１７ｄ，１７ｅ，１７ｆ・・・見出し、
２１・・・新聞記事記憶部、
２２・・・見出し作成部、
２３・・・見出し大きさ決定部、
２３ｍ・・・キーワード記憶部、
２４・・・ユーザ位置検知部、
２５・・・傾き検知部、
２６・・・表示方向制御部、
２７・・・見出し選択検知部、
２７ｐ・・・表示処理部、
２８・・・選択記事検索部。
【図１】
0005925459.tif 000002
【図２】
0005925459.tif 000003
【図３】
0005925459.tif 000004
【図４】
0005925459.tif 000005
【図５】
0005925459.tif 000006
【図６】
0005925459.tif 000007
【図７】
0005925459.tif 000008
【図８】
0005925459.tif 000009
【図９】
0005925459.tif 000010